(57)【要約】【課題】着用時には吸収性物品を着用させ易く、取り外す際には着用者の肌を拭き易い吸収性物品を提供する。【解決手段】吸収性物品（１０）は、前後方向（Ｌ）と、前後方向に直交する幅方向（Ｗ）と、前胴回り域（Ｓ１）と、後胴回り域（Ｓ２）と、前胴回り域と後胴回り域との間に配置された股下域（Ｓ３）と、前胴回り域と後胴回り域とを係止するサイド係止部（６０）と、少なくとも股下域に設けられた吸収コア（５１）と、を有する。吸収性物品を２つ折りするための折り線（ＦＬ）が、股下域で幅方向に沿って延びている。吸収コアの前端縁から前胴回り域の前端縁までの第１距離（Ｌ１）は、吸収コアの後端縁から後胴回り域の後端縁までの第２距離（Ｌ２）よりも長い。折り線から吸収コアの後端縁までの距離と、折り線から吸収コアの前端縁までの距離との差分（Ｌ３）は、前胴回り域のうち吸収コアと重複する領域の前後方向における長さ（Ｔ４）よりも長い。【選択図】図４
2019118491.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
前記前胴回り域と前記後胴回り域とを係止するサイド係止部と、
少なくとも前記股下域に設けられた吸収コアと、を有する吸収性物品であって、
前記吸収性物品を２つ折りするための折り線が、前記股下域で前記幅方向に沿って延びており、
前記吸収コアの前端縁から前記前胴回り域の前端縁までの第１距離は、前記吸収コアの後端縁から前記後胴回り域の後端縁までの第２距離よりも長く、
前記折り線から前記吸収コアの後端縁までの距離と、前記折り線から前記吸収コアの前端縁までの距離との差分は、前記前胴回り域のうち前記吸収コアと重複する領域の前記前後方向における長さよりも長い、吸収性物品。
【請求項２】
前記吸収コアと、前記吸収コアの非肌面側に設けられた不透液性フィルムと、を有する吸収性本体をさらに有し、
前記不透液性フィルムの前端縁より前側の領域が、前記前後方向における前記サイド係止部の長さの５０％以上を占めている、請求項１に記載の吸収性物品。
【請求項３】
前記前胴回り域の前記吸収コアの前端縁よりも前側の前領域全体は、４枚以上のシートから構成されている、請求項１又は２に記載の吸収性物品。
【請求項４】
前記前胴回り域の前記吸収コアの前端縁よりも前側の前領域全体を構成するシートの枚数は、前記折り線で折り畳まれた状態で前記前領域に重複する前記後胴回り域の後領域を構成するシートの枚数と同じ、又は少ない、請求項１から３のいずれか１項に記載の吸収性物品。
【請求項５】
前記前胴回り域の前記吸収コアの前端縁よりも前側の前領域全体を構成するシートの目付は、前記折り線で折り畳まれた状態で前記前領域に重複する前記後胴回り域の後領域を構成するシートの目付よりも高い、請求項１から４のいずれか１項に記載の吸収性物品。
【請求項６】
前記折り線から前記吸収コアの後端縁までの距離と、前記折り線から前記吸収コアの前端縁までの距離との差分は、前記第２距離よりも長い、請求項１から５のいずれか１項に記載の吸収性物品。
【請求項７】
弾性糸を有しない弾性糸非配置領域が、前記前胴回り域全体の少なくとも３０％の連続した領域を占めている、請求項１から６のいずれか１項に記載の吸収性物品。
【請求項８】
前記弾性糸非配置領域は、前記幅方向に伸縮可能な伸縮シートを有する、請求項７に記載の吸収性物品。
【請求項９】
前記弾性糸非配置領域の少なくとも一部は、前記前後方向における前記サイド係止部の中心よりも前側に位置する、請求項７又は８に記載の吸収性物品。
【請求項１０】
前記弾性糸非配置領域は、前記前胴回り域の前端縁から後側へ延びている、請求項７から９のいずれか１項に記載の吸収性物品。
【請求項１１】
前記弾性糸非配置領域の少なくとも一部は、前記吸収コアを前記前後方向に延長した領域に設けられている、請求項７から１０のいずれか１項に記載の吸収性物品。
【請求項１２】
前記弾性糸非配置領域の少なくとも一部は、前記幅方向において前記吸収コアの外側に設けられている、請求項７から１１のいずれか１項に記載の吸収性物品。
【請求項１３】
前記弾性糸非配置領域は不透液性フィルムを有しない、請求項７から１２のいずれか１項に記載の吸収性物品。
【請求項１４】
前記弾性糸非配置領域は不透液性フィルムを有する、請求項７から１２のいずれか１項に記載の吸収性物品。
【発明の詳細な説明】
【技術分野】
【０００１】
本発明は、例えば使い捨ておむつのような吸収性物品に関する。
【背景技術】
【０００２】
特許文献１に記載されているように、いわゆるパンツタイプの使い捨ておむつのような吸収性物品が知られている。特許文献１に記載された吸収性物品は、着用者の胴回りに配置される胴回り域と、着用者の股下域に配置される股下域と、を有する。胴回り域は前胴回り域と後胴回り域とを含み、前胴回り域と後胴回り域とは係止部によって互いに係止されている。着用者の体液を吸収する吸収コアは、股下域に設けられている。
【先行技術文献】
【特許文献】
【０００３】
【特許文献１】特開２０１７−１４００７２号公報
【発明の概要】
【発明が解決しようとする課題】
【０００４】
本願の発明者は、鋭意研究の結果、以下のような課題を見出した。すなわち、例えば乳幼児の親のような補助者は、乳幼児のような着用者に対して吸収性物品の交換を行う。補助者は、寝かせた着用者から吸収性物品を取り外す際に、吸収性物品の胴回り域の一部を引き裂き、引き裂かれた胴回り域で着用者の肌を拭くことがある。
【０００５】
しかしながら、胴回り域が硬すぎると、着用者の性器周辺や足繰り周辺のような凹部に軟便が入り込んでいる場合に、軟便を拭き取り難かったり、着用者の肌を傷つけたりする可能性がある。その一方で、胴回り域が柔らかすぎると、装着時に吸収性物品の胴回り域を掴んで吸収性物品を着用者の腰回りまで引上げようとしたときに、引き上げる力が胴回り域から吸収コアへ十分に伝わらないことがある。この場合、着用者の肌の膨らみ、例えば臀部の膨らみを越えて吸収コアを引き上げ難くなり、吸収性物品の股下域を十分に引き上げ難くなる。
【０００６】
したがって、着用時には吸収性物品を着用させ易く、取り外す際には着用者の肌を拭き易い吸収性物品が望まれる。
【課題を解決するための手段】
【０００７】
一態様に係る吸収性物品は、前後方向と、前記前後方向に直交する幅方向と、前胴回り域と、後胴回り域と、前記前胴回り域と前記後胴回り域との間に配置された股下域と、前記前胴回り域と前記後胴回り域とを係止するサイド係止部と、少なくとも前記股下域に設けられた吸収コアと、を有する。前記吸収性物品を２つ折りするための折り線が、前記股下域で前記幅方向に沿って延びている。前記吸収コアの前端縁から前記前胴回り域の前端縁までの第１距離は、前記吸収コアの後端縁から前記後胴回り域の後端縁までの第２距離よりも長い。前記折り線から前記吸収コアの後端縁までの距離と、前記折り線から前記吸収コアの前端縁までの距離との差分は、前記前胴回り域のうち前記吸収コアと重複する領域の前記前後方向における長さよりも長い。
【図面の簡単な説明】
【０００８】
【図１】一実施形態に係る吸収性物品の模式図である。
【図２】一実施形態に係る吸収性物品の展開平面図である。
【図３】図１のＡ−Ａ線に沿った吸収性物品の断面図である。
【図４】２つ折りされた吸収性物品の模式的側面図である。
【発明を実施するための形態】
【０００９】
（１）実施形態の概要
本明細書及び添付図面の記載により、少なくとも以下の事項が明らかとなる。
【００１０】
一態様に係る吸収性物品は、前後方向と、前記前後方向に直交する幅方向と、前胴回り域と、後胴回り域と、前記前胴回り域と前記後胴回り域との間に配置された股下域と、前記前胴回り域と前記後胴回り域とを係止するサイド係止部と、少なくとも前記股下域に設けられた吸収コアと、を有し、前記吸収性物品を２つ折りするための折り線が、前記股下域で前記幅方向に沿って延びており、前記吸収コアの前端縁から前記前胴回り域の前端縁までの第１距離は、前記吸収コアの後端縁から前記後胴回り域の後端縁までの第２距離よりも長く、前記折り線から前記吸収コアの後端縁までの距離と、前記折り線から前記吸収コアの前端縁までの距離との差分は、前記前胴回り域のうち前記吸収コアと重複する領域の前記前後方向における長さよりも長い。
【００１１】
本態様によれば、吸収コアの前端縁から前胴回り域の前端縁までの第１距離が吸収コアの後端縁から後胴回り域の後端縁までの第２距離よりも長くなっているため、前胴回り域のうち吸収コアが存在しない領域が広くなっている。これにより、前胴回り域内の柔らかい領域が広くなるため、補助者は、吸収性物品を取り外す際に、着用者の肌を傷つけることなく前胴回り域によって着用者の肌を拭き易くなる。
【００１２】
一方、折り線から吸収コアの後端縁までの距離と、折り線から吸収コアの前端縁までの距離との差分が、前胴回り域のうち吸収コアと重複する領域の前後方向における長さよりも長い。そのため、吸収性物品が折り線で折り畳まれた状態において、吸収コアは、後胴回り領域では、前胴回り領域よりも上方（背側）に向かって比較的長く延びる。比較的剛性の高い吸収コアが後胴回り域の後方に向かって長く延びるため、サイド係止部付近を掴んで吸収性物品を着用者の腰回りまで引上げようとしたときに、引き上げる力が後胴回り域に配置された吸収コアへ十分に伝わる。これにより、着用者の臀部の膨らみを越えて吸収コアを引き上げ易くなっている。
【００１３】
以上のように、着用時には吸収性物品を着用させ易く、取り外す際には着用者の肌を拭き易い吸収性物品を提供することができる。
【００１４】
好ましい一態様によれば、吸収性物品は、前記吸収コアと、前記吸収コアの非肌面側に設けられた不透液性フィルムと、を有する吸収性本体をさらに有し、前記不透液性フィルムの前端縁より前側の領域が、前記前後方向における前記サイド係止部の長さの５０％以上を占めている。
【００１５】
本態様によれば、不織布のようなシートに比べて硬い不透液性フィルムがない領域がサイド係止部の長さの５０％以上を占めているため、着用者の肌を拭くために適した領域を広く確保することができる。
【００１６】
好ましい一態様によれば、前記前胴回り域の前記吸収コアの前端縁よりも前側の前領域全体は、４枚以上のシートから構成されている。
【００１７】
前胴回り域の前記吸収コアの前端縁よりも前側の前領域全体は、後胴回り域が着用者の臀部の下に敷かれ、かつサイド係止部を引き裂かれた状態で、着用者の肌を拭きやすい領域に相当する。この着用者の肌を拭きやすい領域全域が、４枚以上のシートから構成されており、体液がにじみにくいので、補助者の手が汚れにくい。
【００１８】
好ましい一態様によれば、前記前胴回り域の前記吸収コアの前端縁よりも前側の前領域全体を構成するシートの枚数は、前記折り線で折り畳まれた状態で前記前領域に重複する前記後胴回り域の後領域を構成するシートの枚数と同じ、又は少ない。
【００１９】
本態様によれば、前領域のシート枚数を多くしすぎないことで前領域の剛性が高くなり過ぎることを抑制し、前領域によって肌に付着した体液を拭き取り易くすることができる。その一方で、後領域のシート枚数を少なくしすぎないことでサイド係止部付近を掴んで吸収性物品を着用者の腰回りまで引上げようとしたときに、引き上げる力が後領域から吸収コアへ十分に伝わる。
【００２０】
好ましい一態様によれば、前記前胴回り域の前記吸収コアの前端縁よりも前側の前領域全体を構成するシートの目付は、前記折り線で折り畳まれた状態で前記前領域に重複する前記後胴回り域の後領域を構成するシートの目付よりも高い。
【００２１】
本態様によれば、前領域のシートの目付を高くすることによって、前領域によって肌に付着した体液を十分に拭き取ることができる。
【００２２】
好ましい一態様によれば、前記折り線から前記吸収コアの後端縁までの距離と、前記折り線から前記吸収コアの前端縁までの距離との差分は、前記第２距離よりも長い。
【００２３】
本態様によれば、折り線から吸収コアの後端縁までの距離と、折り線から吸収コアの前端縁までの距離との差分が、吸収コアの後端縁から後胴回り域の後端縁までの第２距離よりも長いため、比較的剛性の高い吸収コアが後胴回り域の後方に向かって長く延びることになる。この場合、サイド係止部付近を掴んで吸収性物品を着用者の腰回りまで引上げようとしたときに、引き上げる力が後胴回り域に配置された吸収コアへ十分に伝わる。これにより、着用者の臀部の膨らみを越えて吸収コアを引き上げ易くなっている。
【００２４】
好ましい一態様によれば、弾性糸を有しない弾性糸非配置領域が、前記前胴回り域全体の少なくとも３０％の連続した領域を占めている。
【００２５】
弾性糸を有する領域では、弾性糸が設けられた部分とその周りの部分との間で収縮力に差が生じる。この収縮力の差により、弾性糸どうしの間でシートに大きな凹凸が生じる。本態様では、弾性糸を有しない弾性糸非配置領域が前胴回り域の少なくとも３０％の連続した領域を占めているため、前胴回り域内の比較的広い範囲において、弾性糸の収縮力に伴う大きな凹凸が生じない。このような大きな凹凸が生じない領域は、着用者の肌を拭くために適した領域となる。
【００２６】
好ましい一態様によれば、前記弾性糸非配置領域は、前記幅方向に伸縮可能な伸縮シートを有する。
【００２７】
本態様によれば、前胴回り域内の弾性糸非配置領域に幅方向に伸縮可能な伸縮シートを設けることによって、前胴回り域を幅方向に伸縮可能にすることができ、これによって前胴回り域を着用者の肌にフィットさせることができる。
【００２８】
また、伸縮シートは、伸縮シートが存在する範囲において均一に収縮しようとする。そのため、弾性糸の収縮に伴って生じるような大きな凹凸は生じ難い。したがって、伸縮シートによって前胴回り域の弾性糸非配置領域を着用者の肌にフィットさせるとともに、弾性糸非配置領域を着用者の肌を拭くために適した領域として維持することができる。
【００２９】
好ましい一態様によれば、前記弾性糸非配置領域の少なくとも一部は、前記前後方向における前記サイド係止部の中心よりも前側に位置する。
【００３０】
本態様によれば、着用者の肌を拭くために適した弾性糸非配置領域がより前側（腹側）に位置する。後胴回り域が着用者の臀部の下に敷かれ、かつサイド係止部を引き裂かれた状態では、前胴回り域の前側（腹側）の領域の稼働範囲が比較的広くなる。したがって、補助者は、サイド係止部を引き裂いた状態で弾性糸非配置領域を用いて着用者の肌を拭き易くなる。
【００３１】
好ましい一態様によれば、前記弾性糸非配置領域は、前記前胴回り域の前端縁から後側へ延びている。
【００３２】
後胴回り域が着用者の臀部の下に敷かれ、かつサイド係止部を引き裂かれた状態では、前胴回り域の前側（腹側）の領域の稼働範囲が比較的広くなる。したがって、弾性糸非配置領域が前胴回り域の前端縁から後側へ延びていることにより、補助者は、サイド係止部を引き裂いた状態で弾性糸非配置領域を用いて着用者の肌を拭き易い。
【００３３】
好ましい一態様によれば、前記弾性糸非配置領域の少なくとも一部は、前記吸収コアを前記前後方向に延長した領域に設けられている。
【００３４】
吸収コアを前後方向に延長した領域は、吸収コアに付着した体液によって着用者の肌が汚れた領域に近い。したがって、吸収コアを前後方向に延長した領域に着用者の肌を拭くために適した弾性糸非配置領域を設けることによって、弾性糸非配置領域で着用者の肌に付着した汚れを拭き易くなる。
【００３５】
好ましい一態様によれば、前記弾性糸非配置領域の少なくとも一部は、前記幅方向において前記吸収コアの外側に設けられている。
【００３６】
前胴回り域内の、幅方向において吸収コアの外側の領域は、着用者の体液によって汚れにくい領域である。このような汚れにくい領域に着用者の肌を拭くために適した弾性糸非配置領域を設けることによって、前胴回り域の綺麗な部分を用いて着用者の肌に付着した汚れを拭き取ることができるようになる。
【００３７】
好ましい一態様によれば、前記弾性糸非配置領域は不透液性フィルムを有しない。
【００３８】
本態様によれば、不織布のようなシートに比べて硬い不透液性フィルムが弾性糸非配置領域に設けられていないため、弾性糸非配置領域を着用者の肌を拭くためにより適した状態にすることができる。
【００３９】
好ましい一態様によれば、前記弾性糸非配置領域は不透液性フィルムを有する。
【００４０】
本態様によれば、肌を拭くために適した弾性糸非配置領域に不透液性フィルムが存在するため、補助者が弾性糸非配置領域で着用者の肌に付着した体液を拭いたときに、弾性糸非配置領域に付着した体液が弾性糸非配置領域を構成するシートを厚み方向に透過して補助者の手に付着することを抑制することができる。
【００４１】
（２）吸収性物品の構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４２】
図１は、一実施形態に係る吸収性物品の模式図である。図２は、一実施形態に係る吸収性物品の展開平面図である。図２は、後述するサイド係止部が展開された展開状態において吸収性物品を皺が形成されない状態まで伸長させた伸長状態を示している。図３は、図１のＡ−Ａ線に沿った吸収性物品の断面図である。図４は、折り線で２つ折りされた吸収性物品の模式的側面図である。なお、図４は、後述の吸収コア５１と、後述の前胴回り部材２０と、後述の後胴回り部材３０との長さの関係を示す模式図であり、図４ではこれらの部材以外の構成は簡略化のため図示されていない。
【００４３】
吸収性物品１０は、展開状態において互いに直交する前後方向Ｌ及び幅方向Ｗを有する。前後方向Ｌは、身体前側（腹側）と身体後側（背側）とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向Ｔを有する。
【００４４】
吸収性物品１０は、前胴回り域Ｓ１と、後胴回り域Ｓ２と、股下域Ｓ３と、を有する。前胴回り域Ｓ１は、着用者の前胴回りに対向する領域である。後胴回り域Ｓ２は、着用者の後胴回りに対向する領域である。股下域Ｓ３は、着用者の股下に位置し、前胴回り域Ｓ１と後胴回り域Ｓ２との間に配置された領域である。
【００４５】
本実施形態では、吸収性物品１０は、前胴回り部材２０と、後胴回り部材３０と、吸収性本体４０と、を有していてよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００４６】
吸収性物品１０を前後に二分する折り線ＦＬが股下域Ｓ３を通っていてよい。折り線ＦＬは、幅方向Ｗに沿って延びている。すなわち、図１に示す状態において、吸収性物品１０は、幅方向Ｗに沿って延びる折り線ＦＬを基点に２つ折りされている。
【００４７】
幅方向Ｗにおける前胴回り域Ｓ１の端部と、幅方向Ｗにおける後胴回り域Ｓ２の端部とに、サイド係止部６０が設けられていてよい。サイド係止部６０は、幅方向Ｗにおける前胴回り域Ｓ１の端部と、幅方向Ｗにおける後胴回り域Ｓ２の端部とを互いに係止した部分によって規定される。
【００４８】
幅方向Ｗにおける前胴回り域Ｓ１の端部と、幅方向Ｗにおける後胴回り域Ｓ２の端部とが、サイド係止部６０によって係止された状態で、吸収性物品１０には、着用者の胴が通される胴回り開口部６２と、着用者の脚がそれぞれ挿入される一対の脚回り開口部６６と、が形成される。胴回り開口部６２を形成する胴回り開口縁６４は、前胴回り部材２０の前端縁と、後胴回り部材３０の後端縁とによって規定されていてよい。また、脚回り開口部６６を形成する脚回り開口縁６８は、前後方向Ｌに延びる吸収性本体４０の側辺４０ｌと、前胴回り部材２０の後側に位置する辺２０ｌと、後胴回り部材３０の前側に位置する辺３０ｌと、によって規定されていてよい。
【００４９】
ここで、図２は、サイド係止部６０における係止を解除し、吸収性物品１０を展開した状態を示している。サイド係止部６０は、前胴回り部材２０及び後胴回り部材３０のそれぞれにおいて、前後方向Ｌに沿って延びていてよい。この場合、前胴回り域Ｓ１と股下域Ｓ３との境界は、前胴回り部材２０に設けられたサイド係止部６０の後端縁によって規定されていてよい。同様に、後胴回り域Ｓ２と股下域Ｓ３との境界は、後胴回り部材３０に設けられたサイド係止部６０の前端縁によって規定されていてよい。
【００５０】
後胴回り域Ｓ２には、幅方向Ｗに伸縮可能な１本又は複数本の弾性部材３２が設けられていてよい。この代わりに、後胴回り域Ｓ２の弾性部材３２は、幅方向Ｗに伸縮可能な伸縮シートによって構成されていてもよい。
【００５１】
また、前胴回り域Ｓ１には、幅方向Ｗに伸縮可能な１本又は複数本の第２弾性部材２２が設けられていてよい。第２弾性部材２２は弾性糸によって構成されている。さらに、前胴回り域Ｓ１に、幅方向Ｗに伸縮可能な伸縮シート９０が設けられていてもよい。伸縮シート９０は、厚み方向Ｔにおいて第２弾性部材２２と重ならない領域に設けられていてよい。
【００５２】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。
【００５３】
吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００５４】
吸収性本体４０は、少なくとも吸収体５０を含んでいる。さらに、吸収性本体４０は、吸収体５０の肌面側に位置する肌面シート４１と、吸収体５０の非肌面側に位置する非肌面シート４２と、を有していてよい。肌面シート４１は、吸収体５０の肌面側で吸収体５０を覆っていてよい。非肌面シート４２は、吸収体５０の非肌面側で吸収体５０を覆っていてよい。
【００５５】
肌面シート４１は、例えば不織布や開孔プラスチックフィルムのような透液性シートによって構成されていてよい。肌面シート４１は、１枚のシートから構成されていてもよい。この代わりに、肌面シート４１は、複数枚のシートが互いに積層された積層シートから構成されていてもよい。
【００５６】
非肌面シート４２は、不透液性シートを含んでいてよい。不透液性シートは、例えばプラスチックフィルムのような不透液性フィルムによって構成されていてよい。非肌面シート４２は、１枚のシートから構成されていてもよい。この代わりに、非肌面シート４２は、複数枚のシートが互いに積層された積層シートから構成されていてもよい。この場合、複数枚のシートのうちの少なくとも１枚が不透液性を有していてよい。
【００５７】
吸収体５０は、吸収コア５１と、吸収コアを包むコアラップ５２と、を含んでいてよい。吸収コア５１は、例えば粉砕パルプもしくは高吸収性ポリマー（ＳＡＰ）、又はこれらの混合物を含んでいてよい。コアラップ５２は、例えばティッシュ又は不織布により構成されていてよい。
【００５８】
吸収コア５１は、少なくとも股下域Ｓ３に配置されている。好ましくは、吸収コア５１は、前後方向Ｌにおいて、前胴回り域Ｓ１から後胴回り域Ｓ２にわたって延びていてよい。
【００５９】
吸収コア５１は、少なくとも股下域Ｓ３で幅方向Ｗの内側に括れた括れ領域を有していてよい。幅方向Ｗにおける吸収コア５１の最狭部は、股下域Ｓ３に設けられていてよい。この場合、折り線ＦＷは吸収コア５１の括れ領域を通っていてよい。
【００６０】
吸収性本体４０は、幅方向Ｗにおける肌面シート４１の両側部を覆うサイドシート４３を有していてもよい。サイドシート４３は、例えば不織布や開孔プラスチックフィルムのようなシートによって構成されていてよい。
【００６１】
吸収性本体４０は、一対の防漏カフ４６を有していてよい。一対の防漏カフ４６は、前胴回り域Ｓ１と後胴回り域Ｓ２との間を前後方向Ｌに延びており、幅方向Ｗにおける吸収性物品１０の中心を挟んで両側に配置されている。一対の防漏カフ４６は、着用者の肌に向かって立ち上がり可能な起立可能部（図２の範囲Ｂの部分）によって規定されている。
【００６２】
防漏カフ４６は、サイドシート４３と、サイドシート４３に設けられた第３弾性部材４７と、によって構成されていてよい。第３弾性部材４７は、前後方向に伸縮可能に構成されている。第３弾性部材４７は、１本又は複数本の糸ゴムを含んでいてよい。具体的一例として、幅方向Ｗにおけるサイドシート４３の内側部分は外側に折り返されており、サイドシート４３の折り返された部分に第３弾性部材４７が配置されている。また、幅方向Ｗにおけるサイドシート４３の内側縁は、肌面シート４１に接合されておらず、肌面シート４１から立ち上がり可能な自由端を構成する。
【００６３】
防漏カフ４６は、起立支点４６ａ及び起立頂点４６ｂを有する。起立支点４６ａ及び起立頂点４６ｂは、前胴回り域Ｓ１から後胴回り域Ｓ２にわたって前後方向Ｌに延びている。起立支点４６ａは、起立しない点であり、防漏カフ４６の根本に相当する。本実施形態では、起立支点４６ａは、サイドシート４３と肌面シート４１の接合部のうちの幅方向Ｗの内側の縁線に相当する。起立頂点４６ｂは、防漏カフ４６が立ち上がったときの防漏カフ４６の頂点に相当する。すなわち、起立頂点４６ｂは、防漏カフ４６の自由端である。
【００６４】
吸収性本体４０は、幅方向Ｗにおける一対の防漏カフ４６の外側の領域に、一対のギャザー４８を有していてもよい。一対のギャザー４８は、前胴回り域Ｓ１から後胴回り域Ｓ２にわたって前後方向Ｌに延びていてよい。
【００６５】
一対のギャザー４８は、吸収性本体４０を構成するシートに取り付けられた第４弾性部材４９によって構成されていてよい。第４弾性部材４９は、例えば１本又は複数本の糸ゴムであってよい。この代わりに、第４弾性部材４９は、例えば伸縮性を有する弾性シートであってもよい。第４弾性部材４９は、自然状態から伸張した状態で吸収性本体４０を構成するシートに接合されている。これにより、第４弾性部材４９は、吸収性本体４０を前後方向Ｌに収縮させるように作用し、ギャザーを形成することができる。
【００６６】
図４に示すように、吸収コア５１の前端縁から前胴回り域Ｓ１の前端縁までの第１距離Ｌ１は、吸収コア５１の後端縁から後胴回り域Ｓ２の後端縁までの第２距離Ｌ２よりも長い。すなわち、前胴回り域Ｓ１のうち吸収コア５１が存在しない領域が広い。これにより、前胴回り域Ｓ１内の柔らかい領域が広くなるため、補助者は、吸収性物品を取り外す際に、着用者の肌を傷つけることなく前胴回り域Ｓ１によって着用者の肌を拭き易くなる。
【００６７】
また、折り線ＦＬから吸収コア５１の後端縁までの距離と、折り線ＦＬから吸収コア５１の前端縁までの距離との差分Ｌ３は、前胴回り域Ｓ１のうち吸収コア５１と重複する領域の前後方向Ｌにおける長さＬ４よりも長い。これにより、吸収性物品１０が折り線ＦＬで折り畳まれた状態において、吸収コア５１は、後胴回り領域Ｓ２では、前胴回り領域Ｓ１よりも上方（背側）に向かって比較的長く延びる。比較的剛性の高い吸収コア５１が後胴回り域Ｓ２の後方に向かって長く延びるため、サイド係止部６０付近を掴んで吸収性物品１０を着用者の腰回りまで引上げようとしたときに、引き上げる力が後胴回り域Ｓ２に配置された吸収コア５１へ十分に伝わり易い。これにより、着用者の臀部の膨らみを越えて吸収コア５１を引き上げ易くなっている。
【００６８】
以上のように、着用時には吸収性物品１０を着用させ易く、取り外す際には着用者の肌を拭き易い吸収性物品１０を提供することができる。
【００６９】
また、折り線ＦＬから吸収コア５１の後端縁までの距離と、折り線ＦＬから吸収コア５１の前端縁までの距離との差分Ｌ３は、吸収コア５１の後端縁から後胴回り域Ｓ２の後端縁までの第２距離Ｌ２よりも長い。
【００７０】
本態様によれば、折り線から吸収コアの後端縁までの距離と、折り線から吸収コアの前端縁までの距離との差分が、吸収コアの後端縁から後胴回り域の後端縁までの第２距離よりも長いため、比較的剛性の高い吸収コアが後胴回り域の後方に向かって長く延びることになる。この場合、サイド係止部付近を掴んで吸収性物品を着用者の腰回りまで引上げようとしたときに、引き上げる力が後胴回り域に配置された吸収コアへ十分に伝わる。これにより、着用者の臀部の膨らみを越えて吸収コアを引き上げ易くなっている。
【００７１】
例えば、第１実施例としてＳサイズの使い捨ておむつでは、吸収コア５１の前端縁から前胴回り域Ｓ１の前端縁までの第１距離Ｌ１は、吸収コア５１の後端縁から後胴回り域Ｓ２の後端縁までの第２距離Ｌ２よりも長い。また、吸収コア５１の後端縁から後胴回り域Ｓ２の後端縁までの第２距離Ｌ２は、前胴回り域Ｓ１のうち吸収コア５１と重複する領域の前後方向Ｌにおける長さＬ４よりも長い。また、折り線ＦＬから吸収コア５１の後端縁までの距離と、折り線ＦＬから吸収コア５１の前端縁までの距離との差分Ｌ３は、前胴回り域Ｓ１のうち吸収コア５１と重複する領域の前後方向Ｌにおける長さＬ４よりも長い。さらに、折り線ＦＬから吸収コア５１の後端縁までの距離と、折り線ＦＬから吸収コア５１の前端縁までの距離との差分Ｌ３は、吸収コア５１の後端縁から後胴回り域Ｓ２の後端縁までの第２距離Ｌ２よりも長い。
【００７２】
一方、例えば、第２実施例としてＭサイズの使い捨ておむつでは、吸収コア５１の前端縁から前胴回り域Ｓ１の前端縁までの第１距離Ｌ１は、吸収コア５１の後端縁から後胴回り域Ｓ２の後端縁までの第２距離Ｌ２よりも長い。また、吸収コア５１の後端縁から後胴回り域Ｓ２の後端縁までの第２距離Ｌ２は、前胴回り域Ｓ１のうち吸収コア５１と重複する領域の前後方向Ｌにおける長さＬ４よりも長い。しかしながら、折り線ＦＬから吸収コア５１の後端縁までの距離と、折り線ＦＬから吸収コア５１の前端縁までの距離との差分Ｌ３は、前胴回り域Ｓ１のうち吸収コア５１と重複する領域の前後方向Ｌにおける長さＬ４よりも短くてよい。さらに、折り線ＦＬから吸収コア５１の後端縁までの距離と、折り線ＦＬから吸収コア５１の前端縁までの距離との差分Ｌ３は、吸収コア５１の後端縁から後胴回り域Ｓ２の後端縁までの第２距離Ｌ２よりも短くてよい。
【００７３】
吸収性本体４０の非肌面シート４２を構成する不透液性フィルムは、前後方向Ｌにおける前側へ向かって、吸収コア４１よりも前側に延びていてよい。非肌面シート４２を構成する不透液性フィルムの前端縁より前側の領域は、前後方向Ｌにおけるサイド係止部６０の長さの好ましくは５０％以上、より好ましくは６０％以上を占めている。すなわち、前胴回り域Ｓ１のうちの好ましくは５０％以上、より好ましくは６０％以上の領域は、不透液性フィルムを有しない。本態様によれば、一般的に不織布のようなシートに比べて硬い不透液性フィルムがない領域が広くなるため、着用者の肌を拭くために適した領域を広く確保することができる。
【００７４】
好ましくは前胴回り域Ｓ１の吸収コア５１の前端縁よりも前側の前領域Ｓ５全体は、４枚以上のシートによって構成されている。すなわち、前領域Ｓ５全体は、互いに重なった４層以上のシートを含んでいる。後胴回り域Ｓ２が着用者の臀部の下に敷かれ、かつサイド係止部６０を引き裂かれた状態で、前領域Ｓ５全体は、着用者の肌を拭きやすい領域に相当する。この着用者の肌を拭きやすい領域全域が、４層以上のシートから構成されていると、体液がにじみにくく、補助者の手が汚れにくい。
【００７５】
前領域Ｓ５全体を構成するシートの枚数は、折り線ＦＬで折り畳まれた状態で前領域Ｓ５に重複する後胴回り域Ｓ２の後領域（図４の第２距離Ｌ２に相当する領域）を構成するシートの枚数と同じ、又は少ないことが好ましい。前領域Ｓ５のシート枚数を多くしすぎないことで前領域の剛性が高くなり過ぎることを抑制し、前領域Ｓ５によって肌に付着した体液を拭き取り易くすることができる。その一方で、後領域（図４の第２距離Ｌ２に相当する領域）のシート枚数を少なくしすぎないことでサイド係止部６０付近を掴んで吸収性物品１０を着用者の腰回りまで引上げようとしたときに、引き上げる力が吸収コア５１へ十分に伝わり易くなる。
【００７６】
前領域Ｓ５全体を構成するシートの目付は、折り線ＦＬで折り畳まれた状態で前領域に重複する後胴回り域Ｓ２の後領域（図４の第２距離Ｌ２に相当する領域）を構成するシートの目付よりも高いことが好ましい。前領域Ｓ５のシートの目付を高くすることによって、前領域Ｓ５によって肌に付着した体液を十分に拭き取り易くすることができる。
【００７７】
好ましくは、弾性糸を有しない弾性糸非配置領域８０（図２で斜線によって示された領域）が、前胴回り域Ｓ１全体の少なくとも３０％、より好ましくは少なくとも５０％の連続した領域を占めている。弾性糸を有する領域では、弾性糸が設けられた部分とその周りの部分との間で収縮力に差が生じる。この収縮力の差により、弾性糸どうしの間でシートに大きな凹凸が生じる。本態様では、弾性糸を有しない弾性糸非配置領域８０が広い領域を占めているため、前胴回り域Ｓ１内の比較的広い範囲において弾性糸の収縮力に伴う大きな凹凸が生じない。このような大きな凹凸が生じない領域は、着用者の肌を拭くために適した領域となる。
【００７８】
弾性糸非配置領域８０の少なくとも一部は、前後方向Ｌにおけるサイド係止部６０の中心よりも前側に位置することが好ましい。本態様によれば、着用者の肌を拭くために適した弾性糸非配置領域８０がより前側（腹側）に位置する。後胴回り域Ｓ２が着用者の臀部の下に敷かれ、かつサイド係止部６０が引き裂かれた状態では、前胴回り域の前側（腹側）の領域の稼働範囲が比較的広くなる。したがって、補助者は、サイド係止部６０を引き裂いた状態で弾性糸非配置領域８０を用いて着用者の肌を拭き易くなる。
【００７９】
弾性糸非配置領域８０は、前胴回り域Ｓ１の前端縁から後側へ延びていることが好ましい。後胴回り域Ｓ２が着用者の臀部の下に敷かれ、かつサイド係止部６０が引き裂かれた状態では、前胴回り域Ｓ１の前側（腹側）の領域の稼働範囲が比較的広くなる。したがって、弾性糸非配置領域８０が前胴回り域Ｓ１の前端縁から後側へ延びていることにより、補助者は、サイド係止部６０を引き裂いた状態で弾性糸非配置領域８０を用いて着用者の肌をより拭き易い。
【００８０】
弾性糸非配置領域８０の少なくとも一部は、吸収コア５１を前後方向Ｌの前側に延長した領域に設けられている。吸収コア５１を前側に延長した領域は、吸収コア５１に付着した体液によって着用者の肌が汚れる領域に近い。したがって、吸収コア５１を前側に延長した領域に着用者の肌を拭くために適した弾性糸非配置領域８０を設けることによって、弾性糸非配置領域８０で着用者の肌に付着した汚れを拭き易くなる。
【００８１】
弾性糸非配置領域８０の少なくとも一部は、幅方向Ｗにおいて吸収コア５１の外側に設けられていることが好ましい。前胴回り域Ｓ１内の、幅方向Ｗにおいて吸収コア５１の外側の領域は、着用者の体液によって汚れにくい領域である。このような汚れにくい領域に着用者の肌を拭くために適した弾性糸非配置領域８０を設けることによって、前胴回り域の綺麗な部分を用いて着用者の肌に付着した汚れを拭き取ることができるようになる。
【００８２】
弾性糸非配置領域８０は、幅方向Ｗにおける中心から幅方向Ｗにおける吸収コア５１の外側にわたって延びていることがより好ましい。この場合、弾性糸非配置領域８０が幅方向に広くなるため、補助者の好みに応じて、弾性糸非配置領域８０の一部の領域を用いて着用者の肌に付着した汚れを拭き取ることができるようになる。
【００８３】
弾性糸非配置領域８０は、幅方向Ｗに伸縮可能な伸縮シート９０を有することが好ましい。前胴回り域Ｓ１内の弾性糸非配置領域８０に幅方向Ｗに伸縮可能な伸縮シート９０を設けることによって、前胴回り域Ｓ１を幅方向Ｗに伸縮可能にすることができる。これによって前胴回り域Ｓ１を着用者の肌にフィットさせ易くすることができる。
【００８４】
また、伸縮シート９０は、伸縮シート９０が存在する範囲において均一に収縮しようとする。そのため、弾性糸の収縮に伴って生じるような大きな凹凸は生じ難い。したがって、伸縮シート９０によって前胴回り域Ｓ１の弾性糸非配置領域８０を着用者の肌にフィットさせるとともに、弾性糸非配置領域８０を着用者の肌を拭くために適した領域として維持することができる。
【００８５】
弾性糸非配置領域８０は不透液性フィルムを有しないことが好ましい。すなわち、弾性糸非配置領域８０における前胴回り部材２０は、不透液性フィルムを有しておらず、例えば透液性の不織布から構成されていてよい。さらに、前述したように吸収性本体４０の非肌面シート４２は不透液性フィルムを有するが、この不透液性フィルムは、弾性糸非配置領域８０に達していないことが好ましい。不織布のようなシートに比べて硬い不透液性フィルムが弾性糸非配置領域８０に設けられていない場合、弾性糸非配置領域８０を着用者の肌を拭くためにより適した状態にすることができる。
【００８６】
前述した構成の代わりに、弾性糸非配置領域８０は不透液性フィルムを有していてもよい。例えば、吸収性本体４０の非肌面シート４２を構成する不透液性フィルムが、弾性糸非配置領域８０に達していてもよい。肌を拭くために適した弾性糸非配置領域８０に不透液性フィルムが存在する場合、補助者が弾性糸非配置領域８０で着用者の肌に付着した体液を拭いたときに、弾性糸非配置領域８０に付着した体液が弾性糸非配置領域８０を構成するシートを厚み方向に透過して補助者の手に付着することを抑制することができる。
【００８７】
本実施形態において、吸収性物品１０の各部の「長さ」に関する数値は、サイド係止部６０を解除して展開した吸収性物品１０の皺（折り線ＦＬを除く）がなくなるまで吸収性物品を伸長させた伸長状態において計測される。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８９】
例えば、上記実施形態では、吸収性本体４０は、前胴回り部材２０及び後胴回り部材３０と別体として構成されている。この代わりに、吸収性本体４０は、前胴回り部材２０及び後胴回り部材３０と一体に構成されていてもよい。
【００９０】
また、上記実施形態では、吸収性物品１０は、サイド係止部６０を有するいわゆるパンツ型の吸収性物品である。この代わりに、吸収性物品１０は、テープ型の吸収性物品であってもよい。この場合、吸収性物品１０は、サイド係止部６０を有しておらず、前胴回り域Ｓ１と後胴回り域Ｓ２とを互いに着脱可能に固定するファスニングテープを有していてよい。
【産業上の利用可能性】
【００９１】
着用時には吸収性物品を着用させ易く、取り外す際には着用者の肌を拭き易い吸収性物品を提供することができる。
【符号の説明】
【００９２】
１０    吸収性物品
４０    吸収性本体
５０    吸収体
５１    吸収コア
６０    サイド係止部
８０    弾性糸非配置領域
Ｓ１    前胴回り域
Ｓ２    後胴回り域
Ｓ３    股下域
ＦＬ    折り線
Ｌ      前後方向
Ｗ      幅方向
Ｔ      厚み方向
【図１】
2019118491.tif 000003
【図２】
2019118491.tif 000004
【図３】
2019118491.tif 000005
【図４】
2019118491.tif 000006